(57)【要約】【課題】ＰＯＳに通信接続することなく釣銭として出金される貨幣の釣銭額を算出することができ、ＰＯＳ側のアプリケーションの開発が不要となるため費用や設置期間を低減することができる貨幣釣銭機および貨幣処理方法を提供する。【解決手段】貨幣釣銭機は、売上金額を入力するための売上金額入力手段と、売上金額入力手段により入力された売上金額に基づいて釣銭額を算出する釣銭額算出手段１３６と、釣銭額算出手段１３６により算出された釣銭額分の貨幣を収納部から出金部へ搬送するよう搬送部を制御する制御部（硬貨制御部１３０や紙幣制御部２３０等）と、を備えている。【選択図】図３
2014056397.tif 000002
【特許請求の範囲】
【請求項１】
貨幣を収納する収納部と、
貨幣を機体外へ投出する出金部と、
前記収納部から前記出金部へ貨幣を搬送する搬送部と、
売上金額を入力するための売上金額入力手段と、
前記売上金額入力手段により入力された売上金額に基づいて釣銭額を算出する釣銭額算出手段と、
前記釣銭額算出手段により算出された釣銭額分の貨幣を前記収納部から前記出金部へ搬送するよう前記搬送部を制御する制御部と、
を備えた、貨幣釣銭機。
【請求項２】
前記売上金額入力手段は、音声を認識する音声認識部を有しており、前記音声認識部により売上金額に係る音声が認識されることによって売上金額が入力されるようになっている、請求項１記載の貨幣釣銭機。
【請求項３】
前記音声認識部は、売上金額に対応する言葉の音声も認識するようになっている、請求項２記載の貨幣釣銭機。
【請求項４】
前記売上金額入力手段により、入金額も入力されるようになっており、
前記釣銭額算出手段は、前記売上金額入力手段により入力された入金額から、前記売上金額入力手段により入力された売上金額を引き算することにより釣銭額を算出するようになっている、請求項１記載の貨幣釣銭機。
【請求項５】
前記売上金額入力手段は、音声を認識する音声認識部を有しており、前記音声認識部により売上金額に係る音声が認識されることによって売上金額が入力されるとともに、前記音声認識部により入金額に係る音声が認識されることによって入金額が入力されるようになっている、請求項４記載の貨幣釣銭機。
【請求項６】
前記音声認識部において、音声情報が操作者毎に登録されるようになっており、登録された音声情報に基づいて、前記音声認識部により認識された音声がどの操作者の音声かを判別するようになっている、請求項２、３または５記載の貨幣釣銭機。
【請求項７】
前記売上金額入力手段の前記音声認識部により売上金額に係る音声が認識されるタイミングを入力するためのタイミング入力手段を更に備えた、請求項２、３、５または６に記載の貨幣釣銭機。
【請求項８】
前記売上金額入力手段は、売上金額を手動で入力するための手動入力部を有している、請求項１記載の貨幣釣銭機。
【請求項９】
前記売上金額入力手段は、商品に付されたバーコードを読み取るバーコード読取部を有しており、商品に付されたバーコードが前記バーコード読取部により読み取られることによって売上金額が入力されるようになっている、請求項１記載の貨幣釣銭機。
【請求項１０】
貨幣を収納する収納部と、貨幣を機体外へ投出する出金部と、前記収納部から前記出金部へ貨幣を搬送する搬送部と、を備えた貨幣釣銭機による貨幣処理方法であって、
売上金額を入力する工程と、
入力された売上金額に基づいて釣銭額を算出する工程と、
算出された釣銭額分の貨幣を前記搬送部により前記収納部から前記出金部へ搬送する工程と、
を備えた、貨幣処理方法。
【請求項１１】
売上金額を入力する工程において、音声認識部により売上金額に係る音声が認識されることによって売上金額が入力されるようになっている、請求項１０記載の貨幣処理方法。
【発明の詳細な説明】
【技術分野】
【０００１】
本発明は、釣銭としての貨幣の出金処理等を行う貨幣釣銭機、および貨幣釣銭機による貨幣処理方法に関する。
【背景技術】
【０００２】
従来から、釣銭としての貨幣の出金処理等を行う貨幣釣銭機として、様々なタイプのものが知られている。例えば、特許文献１には、金融機関や交通機関の窓口、あるいはスーパーマーケット等の精算所において紙幣や硬貨の入金処理および出金処理を行う貨幣入出金処理システムが開示されている。特許文献１に開示されるような貨幣入出金処理システムでは、貨幣釣銭機がＰＯＳレジスタに通信接続されており、商品の売上金額はＰＯＳレジスタにおいてキーボード等の手段により入力されるようになっている。そして、ＰＯＳレジスタに入力された売上金額と貨幣釣銭機に投入された貨幣の入金額とから釣銭額を算出したり（入金優先モード）、ＰＯＳレジスタに入力された売上金額とＰＯＳレジスタに入力された入金額とから釣銭額を算出したり（出金優先モード）する。その後、算出された釣銭額分の貨幣が、ＰＯＳレジスタからの指示に基づいて貨幣釣銭機から出金される。
【先行技術文献】
【特許文献】
【０００３】
【特許文献１】特許第４１２８２４４号
【発明の概要】
【発明が解決しようとする課題】
【０００４】
しかしながら、特許文献１等に開示されるような従来の貨幣入出金処理システムでは、貨幣釣銭機から釣銭として出金される貨幣の釣銭額を算出するにあたり、商品の売上金額に係る情報が必要となってくるため、貨幣釣銭機をＰＯＳレジスタに必ず通信接続しなければならないという問題がある。しかしながら、貨幣釣銭機をＰＯＳレジスタに通信接続させる場合には、ＰＯＳレジスタ側のアプリケーションの開発が必要なため費用や設置期間が大きくなってしまうという問題がある。また、外部機器との通信機能を有さないレジスタが市場に多く存在しており、これらの低機能のレジスタを使用する店舗では、貨幣釣銭機を導入することができないという問題がある。
【０００５】
本発明は、このような点を考慮してなされたものであり、ＰＯＳに通信接続することなく釣銭として出金される貨幣の釣銭額を算出することができ、ＰＯＳ側のアプリケーションの開発が不要となるため費用や設置期間を低減することができる貨幣釣銭機および貨幣処理方法を提供することを目的とする。
【課題を解決するための手段】
【０００６】
本発明の貨幣釣銭機は、貨幣を収納する収納部と、貨幣を機体外へ投出する出金部と、前記収納部から前記出金部へ貨幣を搬送する搬送部と、売上金額を入力するための売上金額入力手段と、前記売上金額入力手段により入力された売上金額に基づいて釣銭額を算出する釣銭額算出手段と、前記釣銭額算出手段により算出された釣銭額分の貨幣を前記収納部から前記出金部へ搬送するよう前記搬送部を制御する制御部と、を備えている。
【０００７】
このような貨幣釣銭機によれば、売上金額を入力するための売上金額入力手段が設けられており、釣銭額算出手段は、売上金額入力手段により入力された売上金額に基づいて釣銭額を算出するようになっている。そして、制御部は、釣銭額算出手段により算出された釣銭額分の貨幣を収納部から出金部へ搬送するよう搬送部を制御するようになっている。このように、上述のような貨幣釣銭機では、貨幣釣銭機をＰＯＳに通信接続しなくても、釣銭として出金される貨幣の釣銭額を算出することができる。このため、ＰＯＳ側のアプリケーションの開発が不要となるため費用や設置期間を低減することができる。
【０００８】
本発明の貨幣釣銭機においては、前記売上金額入力手段は、音声を認識する音声認識部を有しており、前記音声認識部により売上金額に係る音声が認識されることによって売上金額が入力されるようになっていてもよい。
【０００９】
この際に、前記音声認識部は、売上金額に対応する言葉の音声も認識するようになっていてもよい。
【００１０】
本発明の貨幣釣銭機においては、前記売上金額入力手段により、入金額も入力されるようになっており、前記釣銭額算出手段は、前記売上金額入力手段により入力された入金額から、前記売上金額入力手段により入力された売上金額を引き算することにより釣銭額を算出するようになっていてもよい。
【００１１】
この際に、前記売上金額入力手段は、音声を認識する音声認識部を有しており、前記音声認識部により売上金額に係る音声が認識されることによって売上金額が入力されるとともに、前記音声認識部により入金額に係る音声が認識されることによって入金額が入力されるようになっていてもよい。
【００１２】
また、前記音声認識部において、音声情報が操作者毎に登録されるようになっており、登録された音声情報に基づいて、前記音声認識部により認識された音声がどの操作者の音声かを判別するようになっていてもよい。
【００１３】
また、本発明の貨幣釣銭機は、前記売上金額入力手段の前記音声認識部により売上金額に係る音声が認識されるタイミングを入力するためのタイミング入力手段を更に備えていてもよい。
【００１４】
本発明の貨幣釣銭機においては、前記売上金額入力手段は、売上金額を手動で入力するための手動入力部を有していてもよい。
【００１５】
本発明の貨幣釣銭機においては、前記売上金額入力手段は、商品に付されたバーコードを読み取るバーコード読取部を有しており、商品に付されたバーコードが前記バーコード読取部により読み取られることによって売上金額が入力されるようになっていてもよい。
【００１６】
本発明の貨幣処理方法は、貨幣を収納する収納部と、貨幣を機体外へ投出する出金部と、前記収納部から前記出金部へ貨幣を搬送する搬送部と、を備えた貨幣釣銭機による貨幣処理方法であって、売上金額を入力する工程と、入力された売上金額に基づいて釣銭額を算出する工程と、算出された釣銭額分の貨幣を前記搬送部により前記収納部から前記出金部へ搬送する工程と、を備えている。
【００１７】
このような貨幣処理方法によれば、売上金額を入力し、入力された売上金額に基づいて釣銭額を算出し、算出された釣銭額分の貨幣を搬送部により収納部から出金部へ搬送するようになっている。このように、上述のような貨幣処理方法では、当該貨幣処理方法で用いられる貨幣釣銭機をＰＯＳに通信接続しなくても、釣銭として出金される貨幣の釣銭額を算出することができる。このため、ＰＯＳ側のアプリケーションの開発が不要となるため費用や設置期間を低減することができる。
【００１８】
本発明の貨幣処理方法においては、売上金額を入力する工程において、音声認識部により売上金額に係る音声が認識されることによって売上金額が入力されるようになっていてもよい。
【発明の効果】
【００１９】
本発明の貨幣釣銭機および貨幣処理方法によれば、ＰＯＳに通信接続することなく釣銭として出金される貨幣の釣銭額を算出することができ、ＰＯＳ側のアプリケーションの開発が不要となるため費用や設置期間を低減することができる。
【図面の簡単な説明】
【００２０】
【図１】本発明の第１の実施の形態における貨幣処理システムの構成の概略を示す概略構成図である。
【図２】図１に示す貨幣処理システムにおける硬貨釣銭機、紙幣釣銭機、ＰＯＳレジスタおよびインターカムの外観を示す斜視図である。
【図３】図１等に示す貨幣処理システムの機能ブロック図である。
【図４】図１等に示す貨幣処理システムの貨幣釣銭機において、出金優先モードにより釣銭としての貨幣を出金する動作を示すフローチャートである。
【図５】図１等に示す貨幣処理システムの貨幣釣銭機において、入金優先モードにより釣銭としての貨幣を出金する動作を示すフローチャートである。
【図６】本発明の第１の実施の形態の変形例における貨幣処理システムの外観を示す斜視図である。
【図７】本発明の第２の実施の形態における貨幣処理システムの硬貨釣銭機、紙幣釣銭機、ＰＯＳレジスタおよびテンキーの外観を示す斜視図である。
【図８】図７に示す貨幣処理システムの機能ブロック図である。
【図９】本発明の第３の実施の形態における貨幣処理システムの硬貨釣銭機、紙幣釣銭機、ＰＯＳレジスタおよびバーコードリーダの外観を示す斜視図である。
【図１０】図９に示す貨幣処理システムの機能ブロック図である。
【発明を実施するための形態】
【００２１】
〔第１の実施の形態〕
以下、図面を参照して本発明の第１の実施の形態について説明する。図１乃至図５は、本実施の形態に係る貨幣処理システムを示す図である。このうち、図１は、本実施の形態における貨幣処理システムの構成の概略を示す概略構成図であり、図２は、図１に示す貨幣処理システムにおける硬貨釣銭機、紙幣釣銭機、ＰＯＳレジスタおよびインターカムの外観を示す斜視図である。また、図３は、図１等に示す貨幣処理システムの機能ブロック図である。また、図４および図５は、それぞれ、図１等に示す貨幣処理システムの貨幣釣銭機において、出金優先モードや入金優先モードにより釣銭としての貨幣を出金する動作を示すフローチャートである。
【００２２】
まず、本実施の形態の貨幣処理システム１の全体構成について図１および図２を用いて説明する。図１および図２に示すように、貨幣処理システム１は、硬貨釣銭機１００と、紙幣釣銭機２００と、ＰＯＳレジスタ３００とを備えている。硬貨釣銭機１００および紙幣釣銭機２００は、それぞれ硬貨や紙幣の入出金処理を行うようになっている。また、図２に示すように、硬貨釣銭機１００および紙幣釣銭機２００は左右方向に並べて配置される。また、ＰＯＳレジスタ３００は、硬貨釣銭機１００および紙幣釣銭機２００の上方に配置される。
【００２３】
図１に示すように、硬貨釣銭機１００は、硬貨制御部１３０および表示制御部１４０を有している。また、紙幣釣銭機２００は、紙幣制御部２３０を有している。ここで、硬貨制御部１３０および紙幣制御部２３０はそれぞれ表示制御部１４０に接続されている。
【００２４】
また、図１に示すように、ＰＯＳレジスタ３００は店舗サーバ４００に通信接続されている。そして、ＰＯＳレジスタ３００から店舗サーバ４００に売上金情報等が送信されるようになっている。ここで、ＰＯＳレジスタ３００はＰＯＳ制御部３３０を有しており、このＰＯＳ制御部３３０が店舗サーバ４００に通信接続されている。このことにより、各種設定情報が、店舗サーバ４００からＰＯＳレジスタ３００（複数台でも可）のＰＯＳ制御部３３０に配信されるようになっている。なお、本実施の形態の貨幣処理システム１では、ＰＯＳレジスタ３００は硬貨釣銭機１００や紙幣釣銭機２００には通信接続されていない。
【００２５】
以下、硬貨釣銭機１００、紙幣釣銭機２００およびＰＯＳレジスタ３００の構成について図１および図２を用いて詳述する。
【００２６】
まず、硬貨釣銭機１００の構成について具体的に説明する。図１および図２に示すように、硬貨釣銭機１００は、前部上面に操作表示部１１２が設けられた筐体１１０を備えている。ここで、本実施の形態の硬貨釣銭機１００では、操作表示部１１２としてカラーＬＣＤが用いられるようになっている。また、操作表示部１１２のそばには、例えば６つのボタンからなる操作部１１３が設けられている。ここで、操作表示部１１２における各ボタンの近傍には様々な指令キーが表示されるようになっており、各指令キーに対応するボタンを押下することにより硬貨制御部１３０や紙幣制御部２３０等に様々な指令が与えられるようになっている。また、筐体１１０の前部には硬貨受入部１１４および硬貨払出部１１６が設けられている。
【００２７】
硬貨受入部１１４は、投入された硬貨を検知すると駆動され、受け入れた硬貨を１層１列状態で１枚ずつ機体内に取り込むようになっている。図１に示すように、この硬貨受入部１１４には、当該硬貨受入部１１４により機体内に取り込まれた硬貨を搬送する入金搬送部１０３が接続されている。
【００２８】
図１に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００２９】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。
【００３０】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００３１】
なお、硬貨釣銭機１００において、各硬貨収納部１０６、入金搬送部１０３、出金搬送部１０８、硬貨受入部１１４、硬貨払出部１１６等は一体型の硬貨処理ユニットとなっており、この硬貨処理ユニットを筐体１１０から手前側に引き出すことにより、各硬貨収納部１０６に収納されている硬貨や、入金搬送部１０３や出金搬送部１０８でジャム等により詰まっている硬貨を取り出すことができるようになっている。
【００３２】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外周から取り囲むように配置されている。
【００３３】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００３４】
また、周回搬送部２０３ａと各接続搬送部２０３ｂとの間で紙幣の搬送経路を切り換える経路切換部（図示せず）が、周回搬送部２０３ａに沿って配置されている。
【００３５】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００３６】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。紙幣払出部２１６は、各紙幣収納部２０６から周回搬送部２０３ａに繰り出された紙幣を紙幣取出口２１６ａより機外へ放出するようになっている。
【００３７】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却されるようになっている。
【００３８】
なお、紙幣釣銭機２００において、各紙幣収納部２０６、紙幣受入部２１４、紙幣払出部２１６、出金リジェクト部２０４、紙幣回収カセット２０７、周回搬送部２０３ａおよび接続搬送部２０３ｂ等は一体型の紙幣処理ユニットとなっており、この紙幣処理ユニットを筐体２１０から手前側に引き出すことにより、各紙幣収納部２０６に収納されている紙幣、出金リジェクト部２０４に送られた出金リジェクト紙幣、周回搬送部２０３ａや接続搬送部２０３ｂでジャム等により詰まっている紙幣を取り出すことができるようになっている。
【００３９】
次に、ＰＯＳレジスタ３００の構成について具体的に説明する。ＰＯＳレジスタ３００は、商品の購入情報を登録するようになっている。また、ＰＯＳレジスタ３００にはバーコードリーダ３５０が通信接続されている。このようなバーコードリーダ３５０により、顧客が購入しようとする商品に付されたバーコードが読み取られるようになっている。
【００４０】
図３に、上述のような構成からなる貨幣処理システム１の制御ブロック図を示す。図３に示すように、硬貨釣銭機１００の表示制御部１４０には、操作表示部１１２、操作部１１３、記憶部１４４、インターフェース１４２等が接続されている。そして、操作者によって操作部１１３により入力された指令が当該操作部１１３から表示制御部１４０に送られるとともに、表示制御部１４０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高を表示するようになっている。また、表示制御部１４０は、インターフェース１４２により、硬貨釣銭機１００の硬貨制御部１３０および紙幣釣銭機２００の紙幣制御部２３０に対してそれぞれ信号の送受信を行うようになっている。また、記憶部１４４には、硬貨釣銭機１００や紙幣釣銭機２００における硬貨や紙幣の処理状況や、硬貨釣銭機１００や紙幣釣銭機２００の内部に収納された硬貨や紙幣の在高が記憶されるようになっている。
【００４１】
硬貨釣銭機１００の硬貨制御部１３０には、インターフェース１３２、硬貨受入部１１４、入金搬送部１０３、硬貨識別部１０１、分岐部１０４、硬貨収納部１０６、出金搬送部１０８、硬貨払出部１１６、記憶部１３４等がそれぞれ接続されており、硬貨識別部１０１から硬貨制御部１３０に硬貨の識別結果が送られるとともに、硬貨制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨制御部１３０は、インターフェース１３２により表示制御部１４０に対して信号の送受信を行うようになっている。また、記憶部１３４には、硬貨釣銭機１００における硬貨の処理状況や、硬貨釣銭機１００の内部に収納された硬貨の在高等の様々な情報が記憶されるようになっている。
【００４２】
また、硬貨釣銭機１００の硬貨制御部１３０には釣銭額算出手段１３６が接続されている。この釣銭額算出手段１３６において、顧客から店舗の店員等に手渡された貨幣の金額である入金額から、商品の売上金額を引き算することにより釣銭額を算出するようになっている。釣銭額算出手段１３６による釣銭額の算出方法の詳細については後述する。なお、釣銭額算出手段１３６は、硬貨釣銭機１００の硬貨制御部１３０ではなく、紙幣釣銭機２００の紙幣制御部２３０に接続されるようになっていてもよい。
【００４３】
紙幣釣銭機２００の紙幣制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６、記憶部２３４等がそれぞれ接続されており、紙幣識別部２０１から紙幣制御部２３０に紙幣の識別結果が送られるとともに、紙幣制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣制御部２３０は、インターフェース２３２により、硬貨釣銭機１００の表示制御部１４０に対して信号の送受信を行うようになっている。また、記憶部２３４には、紙幣釣銭機２００における紙幣の処理状況や、紙幣釣銭機２００の内部に収納された紙幣の在高等の様々な情報が記憶されるようになっている。
【００４４】
また、ＰＯＳレジスタ３００のＰＯＳ制御部３３０には、表示部３０２、操作部３０４、記憶部３３４、インターフェース３３２、カードリーダ３３６、プリンタ３３８等がそれぞれ接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０はプリンタ３３８に指令を送ることにより当該プリンタ３３８により様々な情報を印字させるようになっている。また、ＰＯＳレジスタ３００のＰＯＳ制御部３３０は、インターフェース３３２により、店舗サーバ４００やバーコードリーダ３５０に対して信号の送受信を行うようになっている。
【００４５】
また、図１乃至図３に示すように、本実施の形態の貨幣処理システム１では、貨幣釣銭機を操作する店舗の係員等の操作者が装着するインターカム（インターカムを省略して「インカム」ともいう）５００が設けられている。インターカム５００は、マイク５０２および音声認識部５０４を有しており、操作者がインターカム５００を装着し、マイク５０２に向かって音声を発することにより、音声認識部５０４によって操作者の音声が認識されるようになっている。また、図３に示すように、インターカム５００の音声認識部５０４は、硬貨釣銭機１００のインターフェース１４２等を介して硬貨制御部１３０や紙幣制御部２３０等に通信接続されており、音声認識部５０４によって認識された操作者の音声に係る情報は硬貨制御部１３０や紙幣制御部２３０等に送られるようになっている。なお、インターカム５００の音声認識部５０４は、有線ではなく無線により硬貨釣銭機１００のインターフェース１４２に通信接続されるようになっていてもよい。また、音声認識部５０４は、インターカム５００に設けられる代わりに、硬貨釣銭機１００や紙幣釣銭機２００に設けられるようになっていてもよい。
【００４６】
本実施の形態では、音声認識部５０４は、売上金額を入力するための売上金額入力手段として機能するようになっている。このような売上金額入力手段の詳細については後述する。また、本実施の形態では、硬貨釣銭機１００、紙幣釣銭機２００およびインターカム５００をまとめて貨幣釣銭機ともいう。
【００４７】
次に、このような構成からなる貨幣処理システム１の動作、とりわけ貨幣釣銭機の動作について説明する。なお、以下に示す貨幣釣銭機の動作は、硬貨釣銭機１００の表示制御部１４０や硬貨制御部１３０、あるいは紙幣釣銭機２００の紙幣制御部２３０が、硬貨釣銭機１００や紙幣釣銭機２００の各構成要素をそれぞれ制御することにより行われる。
【００４８】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ機体内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。
【００４９】
また、硬貨釣銭機１００から釣銭としての硬貨を出金する場合には、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００５０】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００５１】
また、紙幣釣銭機２００から釣銭としての紙幣を出金する場合には、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００５２】
また、図１乃至図３に示すような貨幣釣銭機において釣銭としての貨幣を出金するにあたり、出金優先モード（釣銭機モード）および入金優先モード（預かり金計数モード）のうちいずれか一方の処理モードにて貨幣が出金される。出金優先モードおよび入金優先モードのうちどちらの処理モードで釣銭としての貨幣を出金するかについては、操作者が前もって操作部１１３により設定することができるようになっている。以下、出金優先モードおよび入金優先モードの詳細についてそれぞれ説明する。
【００５３】
まず、出金優先モードについて、図４に示すフローチャートを参照して以下に説明する。
【００５４】
出金優先モードにて貨幣釣銭機により釣銭の出金動作を行うにあたり、操作者はまず操作部１１３のスタートボタンを押下する（ＳＴＥＰ１）。操作者がスタートボタンを押下すると、インターカム５００の音声認識部５０４において音声認識が開始される（ＳＴＥＰ２）。その後、顧客が例えば４，０００円の商品を購入しようとして店舗の係員等の操作者にこの商品を手渡すと、操作者は受け取った商品に付されたバーコードをＰＯＳレジスタ３００のバーコードリーダ３５０により読み取る。このことにより、ＰＯＳレジスタ３００の表示部３０２には商品の金額が表示される。そして、操作者は「４，０００円のお買い上げになります」とインターカム５００のマイク５０２により発声する（ＳＴＥＰ３）。この場合、音声認識部５０４により、「４，０００円」という言葉が「売上金額に係る音声」として認識されるとともに、「お買い上げ」という言葉が「売上金額に対応する言葉の音声」として認識される（ＳＴＥＰ４）。すなわち、「お買い上げ」という言葉を音声認識部５０４が認識することにより、「４，０００円」という金額が売上金額に関するものであることが認識される。音声認識部５０４により認識された、「売上金額に係る音声」および「売上金額に対応する言葉の音声」に係る情報はインターフェース１４２を介して硬貨制御部１３０等に送信される。このことにより、硬貨制御部１３０等において、売上金額が４，０００円であることが認識される。
【００５５】
次に、顧客が例えば五千円札を店舗の店員等の操作者に手渡すと、操作者はＰＯＳレジスタ３００の操作部３０４により、入金額が５，０００円であることをＰＯＳレジスタ３００に入力する。そして、操作者は「５，０００円のお預かりになります」とインターカム５００のマイク５０２により発声する（ＳＴＥＰ５）。この場合、音声認識部５０４により、「５，０００円」という言葉が「入金額に係る音声」として認識されるとともに、「お預かり」という言葉が「入金額に対応する言葉の音声」として認識される（ＳＴＥＰ６）。すなわち、「お預かり」という言葉を音声認識部５０４が認識することにより、「５，０００円」という金額が入金額に関するものであることが認識される。音声認識部５０４により認識された、「入金額に係る音声」および「入金額に対応する言葉の音声」に係る情報はインターフェース１４２を介して硬貨制御部１３０等に送信される。このことにより、硬貨制御部１３０等において、入金額が５，０００円であることが認識される。
【００５６】
本実施の形態では、音声認識部５０４には、「お買い上げ」「お預かり」という言葉が予め設定されており、「お買い上げ」という言葉は売上金額と、また「お預かり」という言葉は入金額とそれぞれ紐付けられている。このことにより、音声認識部５０４において「お買い上げ」「お預かり」という言葉が認識されると、これらの言葉に関連して音声認識部５０４により認識された金額について、その種類（売上金額や入金額）を確実に認識することができるようになる。また、貨幣釣銭機を取り扱う操作者には、顧客から商品や貨幣を手渡されたときに顧客へのメッセージの中で「お買い上げ」「お預かり」という言葉を含むよう、予め訓練が行われるようになっている。
【００５７】
その後、硬貨制御部１３０に接続された釣銭額算出手段１３６において、音声認識部５０４によりそれぞれ認識された入金額および売上金額に基づいて釣銭額が算出される（ＳＴＥＰ７）。具体的には、音声認識部５０４により認識された入金額から、同じく音声認識部５０４により認識された売上金額を引き算することにより釣銭額が算出される。そして、硬貨釣銭機１００や紙幣釣銭機２００から、釣銭額に係る硬貨や紙幣が出金される（ＳＴＥＰ８）。入金額が５，０００円であり売上金額が４，０００円である場合には、釣銭額算出手段１３６において釣銭額が１，０００円（＝５，０００円−４，０００円）であると算出され、紙幣釣銭機２００において千円札が釣銭として出金されるようになる。そして、操作者が「１，０００円のお返しになります。」と発声して、釣銭（具体的には、千円札）を顧客に手渡す（ＳＴＥＰ９）。その後、操作者は、顧客から受け取った貨幣（具体的には、五千円札）を紙幣釣銭機２００に入金する（ＳＴＥＰ１０）。入金された紙幣は識別されて対応する紙幣収納部２０６に収納される。このようにして、出金優先モードにおける一連の取引が終了する。上述した出金優先モードでは、音声認識部５０４は、売上金額を入力するための売上金額入力手段として機能し、この売上金額入力手段により、入金額も入力されるようになる。そして、釣銭額算出手段１３６は、売上金額入力手段により入力された入金額から、この売上金額入力手段により入力された売上金額を引き算することにより釣銭額を算出するようになる。ここで、音声認識部５０４によって認識された入金額や売上金額、および釣銭額算出手段１３６によって算出された釣銭額を含む取引情報が操作表示部１１２に表示される。このことにより、操作者は取引内容を目視にて確認することができるようになる。また、音声認識部５０４によって入金額や売上金額が認識されなかった場合には、警告音や警告画面によって操作者に報知して、再入力（発声）を促すようになっている。
【００５８】
次に、入金優先モードについて、図５に示すフローチャートを参照して以下に説明する。
【００５９】
入金優先モードにて貨幣釣銭機により釣銭の出金動作を行うにあたり、操作者はまず操作部１１３のスタートボタンを押下する（ＳＴＥＰ２１）。操作者がスタートボタンを押下すると、インターカム５００の音声認識部５０４において音声認識が開始される（ＳＴＥＰ２２）。その後、顧客が例えば４，０００円の商品を購入しようとして店舗の係員等の操作者にこの商品を手渡すと、操作者は受け取った商品に付されたバーコードをＰＯＳレジスタ３００のバーコードリーダ３５０により読み取る。このことにより、ＰＯＳレジスタ３００の表示部３０２には商品の金額が表示される。そして、操作者は「４，０００円のお買い上げになります」とインターカム５００のマイク５０２により発声する（ＳＴＥＰ２３）。この場合、音声認識部５０４により、「４，０００円」という言葉が「売上金額に係る音声」として認識されるとともに、「お買い上げ」という言葉が「売上金額に対応する言葉の音声」として認識される（ＳＴＥＰ２４）。すなわち、「お買い上げ」という言葉を音声認識部５０４が認識することにより、「４，０００円」という金額が売上金額に関するものであることが認識される。音声認識部５０４により認識された、「売上金額に係る音声」および「売上金額に対応する言葉の音声」に係る情報はインターフェース１４２を介して硬貨制御部１３０等に送信される。このことにより、硬貨制御部１３０等において、売上金額が４，０００円であることが認識される。
【００６０】
次に、顧客が例えば五千円札を店舗の店員等の操作者に手渡すと、操作者はＰＯＳレジスタ３００の操作部３０４により、入金額が５，０００円であることをＰＯＳレジスタ３００に入力する。また、操作者は顧客から受け取った五千円札を紙幣釣銭機２００に入金する（ＳＴＥＰ２５）。このことにより、紙幣釣銭機２００の紙幣識別部２０１によって、投入された紙幣の金額（すなわち、入金額）が５０００円であることが認識される。紙幣識別部２０１による紙幣の識別情報は、硬貨制御部１３０や紙幣制御部２３０等に送られる。また、紙幣識別部２０１により識別された紙幣（五千円札）は、この紙幣の金種に対応する紙幣収納部２０６に収納される。
【００６１】
その後、硬貨制御部１３０に接続された釣銭額算出手段１３６において、紙幣釣銭機２００の紙幣識別部２０１により識別された紙幣の入金額および音声認識部５０４により認識された売上金額に基づいて釣銭額が算出される（ＳＴＥＰ２６）。具体的には、紙幣釣銭機２００に入金され紙幣識別部２０１により識別された紙幣の入金額から、音声認識部５０４により認識された売上金額を引き算することにより釣銭額が算出される。そして、硬貨釣銭機１００や紙幣釣銭機２００から、釣銭額に係る硬貨や紙幣が出金される（ＳＴＥＰ２７）。入金額が５，０００円であり売上金額が４，０００円である場合には、釣銭額算出手段１３６において釣銭額が１，０００円であると算出され、紙幣釣銭機２００において千円札が釣銭として出金されるようになる。そして、操作者が「１，０００円のお返しになります。」と発声して、釣銭（具体的には、千円札）を顧客に手渡す（ＳＴＥＰ２８）。このようにして、入金優先モードにおける一連の取引が終了する。上述した入金優先モードでも、音声認識部５０４は、売上金額を入力するための売上金額入力手段として機能するが、この売上金額入力手段により、入金額が入力されることはない。すなわち、釣銭額算出手段１３６は、紙幣釣銭機２００に入金され紙幣識別部２０１により識別された紙幣の入金額から、売上金額入力手段により入力された売上金額を引き算することにより釣銭額を算出するようになる。
【００６２】
なお、一連の取引において、硬貨の受け渡しが発生する場合には、硬貨釣銭機１００に硬貨が投入され、この硬貨釣銭機１００から釣銭としての硬貨が出金される。また、硬貨と紙幣の両方が受け渡される場合には、入金額（入金優先モード時のみ）および出金額は、硬貨分と紙幣分の合算額で処理される。
【００６３】
なお、本実施の形態では、音声認識部５０４において、音声情報が操作者毎に事前に登録されるようになっていてもよい。この場合には、音声認識部５０４は、登録された音声情報に基づいて、当該音声認識部５０４により認識された音声がどの操作者の音声かを判別することができるようになる。このことにより、音声認識部５０４による音声の認識精度を上げることができる。すなわち、ある操作者が貨幣釣銭機の操作を開始するときに、この操作者は自分のＩＤ情報を操作部１１３等により入力することにより、音声認識部５０４において、入力されたＩＤ情報に対応する操作者の音声情報を呼び出しておく。このことにより、この操作者以外の他の操作者の音声が音声認識部５０４により認識された場合には、他の操作者の音声に係る情報は音声認識部５０４から硬貨制御部１３０や紙幣制御部２３０等に送信されないようになる。
【００６４】
以上のように本実施の形態の貨幣釣銭機および貨幣処理方法によれば、売上金額を入力するための売上金額入力手段が設けられており、釣銭額算出手段１３６は、売上金額入力手段により入力された売上金額に基づいて釣銭額を算出するようになっている。そして、硬貨制御部１３０や紙幣制御部２３０等は、釣銭額算出手段１３６により算出された釣銭額分の貨幣を硬貨収納部１０６や紙幣収納部２０６から硬貨払出部１１６や紙幣払出部２１６へ搬送するよう出金搬送部１０８や周回搬送部２０３ａ等を制御するようになっている。このように、本実施の形態の貨幣釣銭機および貨幣処理方法では、貨幣釣銭機をＰＯＳレジスタ３００に通信接続しなくても、釣銭として出金される貨幣の釣銭額を算出することができる。このため、ＰＯＳレジスタ３００側のアプリケーションの開発が不要となるため貨幣処理システム１全体の費用や設置期間を低減することができる。
【００６５】
また、本実施の形態の貨幣釣銭機においては、売上金額入力手段は、音声を認識する音声認識部５０４を有しており、音声認識部５０４により売上金額に係る音声が認識されることによって売上金額が入力されるようになっている。この際に、音声認識部５０４は、売上金額に対応する言葉（具体的には、例えば「お買い上げ」という言葉）の音声も認識するようになっている。なお、「○○円のお買い上げになります。」や「○○円お預かりします。」等の文言は、従来から店員によって発せられている文言であり、貨幣釣銭機を使用するために新たな行為を追加する必要はない。
【００６６】
また、本実施の形態の貨幣釣銭機においては、出金優先モードにおいて、売上金額入力手段により入金額も入力されるようになっており、釣銭額算出手段１３６は、売上金額入力手段により入力された入金額から、この売上金額入力手段により入力された売上金額を引き算することにより釣銭額を算出するようになっている。具体的には、前述したように売上金額入力手段は例えば音声認識部５０４を有しており、音声認識部５０４により売上金額に係る音声が認識されることによって売上金額が入力されるとともに、音声認識部５０４により入金額に係る音声が認識されることによって入金額が入力されるようになっている。
【００６７】
なお、本実施の形態による貨幣釣銭機やこの貨幣釣銭機が設けられた貨幣処理システム１は、上記の態様に限定されるものではなく、様々の変更を加えることができる。
【００６８】
例えば、図６に示すように、硬貨釣銭機１００や紙幣釣銭機２００等に、タイミングスイッチ５１０が接続されていてもよい。この場合には、商品の金額が例えば４，０００円である場合には、操作者は「４，０００円のお買い上げになります」とインターカム５００のマイク５０２により発声する際に、タイミングスイッチ５１０を押下する。そして、タイミングスイッチ５１０が押下された後に音声認識部５０４により識別された金額に係る情報、またはタイミングスイッチ５１０が押下されている最中に音声認識部５０４により識別された金額に係る情報が、売上金額として認識されるようになる。このように、図６に示すような例では、タイミングスイッチ５１０は、音声認識部５０４により売上金額に係る音声が認識されるタイミングを入力するためのタイミング入力手段として機能するようになる。このようなタイミングスイッチ５１０が用いられる場合には、音声認識部５０４は、売上金額に対応する言葉（具体的には、「お買い上げ」という言葉）の音声を認識する必要がなくなる。
【００６９】
〔第２の実施の形態〕
以下、本発明の第２の実施の形態について説明する。図７および図８に、第２の実施の形態に係る貨幣釣銭機およびこの貨幣釣銭機を備えた貨幣処理システムの構成を示す。第２の実施の形態に係る貨幣釣銭機では、第１の実施の形態に係る貨幣釣銭機と比較して、インターカム５００が設けられておらず、代わりにテンキー５２０が設けられている。その他の構成については、第２の実施の形態に係る貨幣釣銭機は、第１の実施の形態の係る貨幣釣銭機とほぼ同じ構成となっている。以下、第２の実施の形態に係る貨幣釣銭機を説明するにあたり、第１の実施の形態の係る貨幣釣銭機と同様の構成要素については同一の参照符号を付してその説明を省略する。
【００７０】
上述したように、本実施の形態では、テンキー５２０が硬貨釣銭機１００や紙幣釣銭機２００とは別個に設けられている。そして、このようなテンキー５２０により、操作者は売上金額を手動で入力することができるようになっている。より詳細には、図８に示すように、テンキー５２０は硬貨釣銭機１００のインターフェース１４２等を介して硬貨制御部１３０や紙幣制御部２３０等に通信接続されており、テンキー５２０により入力された売上金額に係る情報は硬貨制御部１３０や紙幣制御部２３０等に送られるようになっている。
【００７１】
本実施の形態では、テンキー５２０は、売上金額を入力するための売上金額入力手段として機能するようになっている。また、本実施の形態では、硬貨釣銭機１００、紙幣釣銭機２００およびテンキー５２０をまとめて貨幣釣銭機ともいう。なお、本実施の形態では、売上金額入力手段としてテンキー５２０が硬貨釣銭機１００や紙幣釣銭機２００とは別個に設けられる代わりに、硬貨釣銭機１００の操作部１１３がテンキー５２０と同様の作用を奏するようになっていてもよい。この場合は、硬貨釣銭機１００の操作部１１３が、売上金額を入力するための売上金額入力手段として機能するようになる。
【００７２】
貨幣釣銭機においてテンキー５２０が設けられている場合には、貨幣釣銭機により釣銭の出金動作を行う際に、入金優先モードで釣銭が出金されるようになる。具体的には、顧客が例えば４，０００円の商品を購入しようとして店舗の係員等の操作者にこの商品を手渡すと、操作者は受け取った商品に付されたバーコードをＰＯＳレジスタ３００のバーコードリーダ３５０により読み取る。このことにより、ＰＯＳレジスタ３００の表示部３０２には商品の金額が表示される。そして、操作者はテンキー５２０により売上金額が４，０００円であることを入力する。テンキー５２０により入力された売上金額の情報はインターフェース１４２を介して硬貨制御部１３０等に送信される。このことにより、硬貨制御部１３０等において、売上金額が４，０００円であることが識別される。
【００７３】
次に、顧客が例えば五千円札を店舗の店員等の操作者に手渡すと、操作者はＰＯＳレジスタ３００の操作部３０４により、入金額が５，０００円であることをＰＯＳレジスタ３００に入力する。また、操作者は顧客から受け取った五千円札を紙幣釣銭機２００に入金する。このことにより、紙幣釣銭機２００の紙幣識別部２０１によって、投入された紙幣の金額（すなわち、入金額）が５０００円であることが認識される。紙幣識別部２０１による紙幣の識別情報は、硬貨制御部１３０や紙幣制御部２３０等に送られる。また、紙幣識別部２０１により識別された紙幣（五千円札）は、この紙幣の金種に対応する紙幣収納部２０６に収納される。
【００７４】
その後、硬貨制御部１３０に接続された釣銭額算出手段１３６において、紙幣釣銭機２００の紙幣識別部２０１により識別された紙幣の入金額およびテンキー５２０により入力された売上金額に基づいて釣銭額が算出される。具体的には、紙幣釣銭機２００に入金され紙幣識別部２０１により識別された紙幣の入金額から、テンキー５２０により入力された売上金額を引き算することにより釣銭額が算出される。そして、硬貨釣銭機１００や紙幣釣銭機２００から、釣銭額に係る硬貨や紙幣が出金される。入金額が５，０００円であり売上金額が４，０００円である場合には、釣銭額算出手段１３６において釣銭額が１，０００円であると算出され、紙幣釣銭機２００において千円札が釣銭として出金されるようになる。そして、操作者が「１，０００円のお返しになります。」と発声して、釣銭（具体的には、千円札）を顧客に手渡す。このようにして、入金優先モードにおける一連の取引が終了する。なお、「出金優先モード」の場合は、入金額もテンキー５２０で入力することになる。より詳細には、「売上金額」や「入金額」等の項目を選択するボタンを設定し、それぞれの金額として入力された数値に基づいて釣銭額を算出する。
【００７５】
以上のように本実施の形態の貨幣釣銭機および貨幣処理方法によれば、売上金額を入力するための売上金額入力手段としてテンキー５２０が設けられており、釣銭額算出手段１３６は、テンキー５２０により入力された売上金額に基づいて釣銭額を算出するようになっている。そして、硬貨制御部１３０や紙幣制御部２３０等は、釣銭額算出手段１３６により算出された釣銭額分の貨幣を硬貨収納部１０６や紙幣収納部２０６から硬貨払出部１１６や紙幣払出部２１６へ搬送するよう出金搬送部１０８や周回搬送部２０３ａを制御するようになっている。このように、本実施の形態の貨幣釣銭機および貨幣処理方法では、第１の実施の形態と同様に、貨幣釣銭機をＰＯＳレジスタ３００に通信接続しなくても、釣銭として出金される貨幣の釣銭額を算出することができる。このため、ＰＯＳレジスタ３００側のアプリケーションの開発が不要となるため貨幣処理システム１全体の費用や設置期間を低減することができる。
【００７６】
〔第３の実施の形態〕
以下、本発明の第３の実施の形態について説明する。図９および図１０に、第３の実施の形態に係る貨幣釣銭機およびこの貨幣釣銭機を備えた貨幣処理システムの構成を示す。第３の実施の形態に係る貨幣釣銭機では、第１の実施の形態に係る貨幣釣銭機と比較して、インターカム５００が設けられておらず、代わりにバーコードリーダ５３０が設けられている。その他の構成については、第３の実施の形態に係る貨幣釣銭機は、第１の実施の形態の係る貨幣釣銭機とほぼ同じ構成となっている。以下、第３の実施の形態に係る貨幣釣銭機を説明するにあたり、第１の実施の形態の係る貨幣釣銭機と同様の構成要素については同一の参照符号を付してその説明を省略する。
【００７７】
上述したように、本実施の形態では、バーコードリーダ５３０が硬貨釣銭機１００や紙幣釣銭機２００とは別個に設けられている。そして、このようなバーコードリーダ５３０により、商品に付されたバーコードを読み取ることによって、商品の金額を入力することができるようになっている。より詳細には、図１０に示すように、バーコードリーダ５３０は硬貨釣銭機１００のインターフェース１４２等を介して硬貨制御部１３０や紙幣制御部２３０等に通信接続されており、バーコードリーダ５３０により入力された商品の金額に係る情報は硬貨制御部１３０や紙幣制御部２３０等に送られるようになっている。
【００７８】
本実施の形態では、バーコードリーダ５３０は、売上金額を入力するための売上金額入力手段として機能するようになっている。また、本実施の形態では、硬貨釣銭機１００、紙幣釣銭機２００およびバーコードリーダ５３０をまとめて貨幣釣銭機ともいう。
【００７９】
貨幣釣銭機においてバーコードリーダ５３０が設けられている場合には、貨幣釣銭機により釣銭の出金動作を行う際に、入金優先モードで釣銭が出金されるようになる。具体的には、顧客が例えば４，０００円の商品を購入しようとして店舗の係員等の操作者にこの商品を手渡すと、操作者は受け取った商品に付されたバーコードをＰＯＳレジスタ３００のバーコードリーダ３５０により読み取る。このことにより、ＰＯＳレジスタ３００の表示部３０２には商品の金額が表示される。また、操作者は受け取った商品に付されたバーコードを貨幣釣銭機のバーコードリーダ５３０でも読み取る。このことにより、商品の金額に係る情報はインターフェース１４２を介して硬貨制御部１３０等に送信され、硬貨制御部１３０等において、売上金額が４，０００円であることが認識される。複数の商品を購入する場合には、全ての商品のバーコードを読み取らせると、合計額が売上金額として認識される。
【００８０】
次に、顧客が例えば五千円札を店舗の店員等の操作者に手渡すと、操作者はＰＯＳレジスタ３００の操作部３０４により、入金額が５，０００円であることをＰＯＳレジスタ３００に入力する。また、操作者は顧客から受け取った五千円札を紙幣釣銭機２００に入金する。このことにより、紙幣釣銭機２００の紙幣識別部２０１によって、投入された紙幣の金額（すなわち、入金額）が５０００円であることが認識される。紙幣識別部２０１による紙幣の識別情報は、硬貨制御部１３０や紙幣制御部２３０等に送られる。また、紙幣識別部２０１により識別された紙幣（五千円札）は、この紙幣の金種に対応する紙幣収納部２０６に収納される。
【００８１】
その後、硬貨制御部１３０に接続された釣銭額算出手段１３６において、紙幣釣銭機２００の紙幣識別部２０１により識別された紙幣の入金額およびバーコードリーダ５３０により入力された売上金額（すなわち、各商品の金額の合計額）に基づいて釣銭額が算出される。具体的には、紙幣釣銭機２００に入金され紙幣識別部２０１により識別された紙幣の入金額から、バーコードリーダ５３０により入力された売上金額を引き算することにより釣銭額が算出される。そして、硬貨釣銭機１００や紙幣釣銭機２００から、釣銭額に係る硬貨や紙幣が出金される。入金額が５，０００円であり売上金額が４，０００円である場合には、釣銭額算出手段１３６において釣銭額が１，０００円であると算出され、紙幣釣銭機２００において千円札が釣銭として出金されるようになる。そして、操作者が「１，０００円のお返しになります。」と発声して、釣銭（具体的には、千円札）を顧客に手渡す。このようにして、入金優先モードにおける一連の取引が終了する。
【００８２】
以上のように本実施の形態の貨幣釣銭機および貨幣処理方法によれば、売上金額を入力するための売上金額入力手段としてバーコードリーダ５３０が設けられており、釣銭額算出手段１３６は、バーコードリーダ５３０により入力された売上金額に基づいて釣銭額を算出するようになっている。そして、硬貨制御部１３０や紙幣制御部２３０等は、釣銭額算出手段１３６により算出された釣銭額分の貨幣を硬貨収納部１０６や紙幣収納部２０６から硬貨払出部１１６や紙幣払出部２１６へ搬送するよう出金搬送部１０８や周回搬送部２０３ａを制御するようになっている。このように、本実施の形態の貨幣釣銭機および貨幣処理方法では、第１の実施の形態と同様に、貨幣釣銭機をＰＯＳレジスタ３００に通信接続しなくても、釣銭として出金される貨幣の釣銭額を算出することができる。このため、ＰＯＳレジスタ３００側のアプリケーションの開発が不要となるため貨幣処理システム１全体の費用や設置期間を低減することができる。
【符号の説明】
【００８３】
１  貨幣処理システム
１００  硬貨釣銭機
１０１  硬貨識別部
１０３  入金搬送部
１０４  分岐部
１０６  硬貨収納部
１０８  出金搬送部
１１０  筐体
１１２  操作表示部
１１３  操作部
１１４  硬貨受入部
１１６  硬貨払出部
１３０  硬貨制御部
１３２  インターフェース
１３４  記憶部
１３６  釣銭額算出手段
１４０  表示制御部
１４２  インターフェース
１４４  記憶部
２００  紙幣釣銭機
２０１  紙幣識別部
２０３ａ  周回搬送部
２０３ｂ  接続搬送部
２０４  出金リジェクト部
２０６  紙幣収納部
２０７  紙幣回収カセット
２１０  筐体
２１４  紙幣受入部
２１４ａ  紙幣受入口
２１６  紙幣払出部
２１６ａ  紙幣取出口
２３０  紙幣制御部
２３２  インターフェース
２３４  記憶部
３００  ＰＯＳレジスタ
３０２  表示部
３０２ａ  追加の表示部
３０４  操作部
３３０  ＰＯＳ制御部
３３２  インターフェース
３３４  記憶部
３３６  カードリーダ
３３８  プリンタ
３５０  バーコードリーダ
４００  店舗サーバ
５００  インターカム
５０２  マイク
５０４  音声認識部
５１０  タイミングスイッチ
５２０  テンキー
５３０  バーコードリーダ
【図１】
2014056397.tif 000003
【図２】
2014056397.tif 000004
【図３】
2014056397.tif 000005
【図４】
2014056397.tif 000006
【図５】
2014056397.tif 000007
【図６】
2014056397.tif 000008
【図７】
2014056397.tif 000009
【図８】
2014056397.tif 000010
【図９】
2014056397.tif 000011
【図１０】
2014056397.tif 000012